(57)【要約】      （修正有）【課題】ＣｏＭＰシステムにおいて、一つの伝送協調グループ内の複数の伝送協調ポイントに対して電力制御を行う。【解決手段】電力プールを設定し１０１、フル電力を伝送協調グループ内の第１の伝送協調ポイントの送信電力として選択し１０２、伝送協調グループ内の第１の伝送協調ポイント以外のほかの伝送協調ポイントのそれぞれに対して、それぞれに前記電力プールから電力値をその送信電力として選択する１０３ことを含み、ここで前記電力プールは、伝送協調グループ内の伝送協調ポイントがデータ伝送の際に採用される電力値のセットであり、フル電力と、フル電力とゼロ電力との間に介在する少なくとも１つの低減電力とを含む。【選択図】図１
2014135723.tif 000002
【特許請求の範囲】
【請求項１】
電力制御方法であって、
電力プールを設定し、
フル電力を伝送協調グループ内の第１の伝送協調ポイントの送信電力として選択し、
伝送協調グループ内の第１の伝送協調ポイント以外のほかの伝送協調ポイントのそれぞれに対して、それぞれに、前記電力プールから１つの電力値をその送信電力として選択する、ことを含み、ここで、
前記電力プールは、伝送協調グループ内の伝送協調ポイントがデータ伝送の際に採用される電力値のセットであり、フル電力と、フル電力とゼロ電力との間に介在する少なくとも１つの低減電力とを含む、ことを特徴とする電力制御方法。
【請求項２】
伝送協調グループ内の第１の伝送協調ポイント以外のほかの伝送協調ポイントのそれぞれに対して、それぞれに、前記電力プールから１つの電力値をその送信電力として選択することは、
全体の伝送協調グループ内の全ての伝送協調ポイントでスケジューリングされたユーザの伝送優先度の和を最大にするように、前記電力プールから、前記ほかの伝送協調ポイントのそれぞれに対して、それぞれに、１つの電力値をその送信電力として選択する、ことを含む、ことを特徴とする請求項１に記載の電力制御方法。
【請求項３】
電力制御方法であって、
第１の電力プールおよび第２の電力プールを設定し、
フル電力を伝送協調グループ内の第１の伝送協調ポイントの送信電力として選択し、
伝送協調グループがダイナミック・ポイント・ブランキング伝送方式を採用する場合とシングルセル伝送方式を採用する場合に第１の伝送協調ポイントでスケジューリングされたユーザに対応するチャネル特徴パラメータの差を算出し、
この差が所定の閾値より大きい場合、第１の電力プールを候補電力プールとし、この差が所定の閾値より大きくない場合、第２の電力プールを候補電力プールとし、
伝送協調グループ内の第１の伝送協調ポイント以外のほかの伝送協調ポイントのそれぞれに対して、それぞれに、前記候補電力プールから１つの電力値をその送信電力として選択する、ことを含み、ここで、
第１の電力プールおよび第２の電力プールは、伝送協調グループ内の伝送協調ポイントがデータ伝送の際に採用される電力値のセットであり、第１の電力プールは、フル電力とゼロ電力とを含み、第２の電力プールは、フル電力と、フル電力とゼロ電力との間に介在する少なくとも１つの低減電力とを含む、ことを特徴とする電力制御方法。
【請求項４】
前記チャネル特徴パラメータは、チャネル品質指標（ＣＱＩ）、信号対雑音比（ＳＮＲ）、信号対雑音干渉比（ＳＩＮＲ）、参照信号受信電力（ＲＳＲＰ）または参照信号受信品質（ＲＳＲＱ）を含む、ことを特徴とする請求項３に記載の電力制御方法。
【請求項５】
伝送協調グループ内の第１の伝送協調ポイント以外のほかの伝送協調ポイントのそれぞれに対して、それぞれに、前記候補電力プールから１つの電力値をその送信電力として選択することは、
全体の伝送協調グループ内の全ての伝送協調ポイントでスケジューリングされたユーザの伝送優先度の和を最大にするように、前記候補電力プールから、前記ほかの伝送協調ポイントのそれぞれに対して、それぞれに、１つの電力値をその送信電力として選択する、ことを含む、ことを特徴とする請求項３に記載の電力制御方法。
【請求項６】
前記１つの電力値を選択することは、
伝送協調グループが各伝送方式を採用する場合での伝送協調グループ内の全てのスケジューリングされたユーザの伝送優先度をそれぞれ算出し、
各伝送方式について、この伝送方式での伝送協調グループ内の全てのスケジューリングされたユーザの伝送優先度の和をそれぞれ算出し、
前記伝送優先度の和を最大にする伝送方式およびスケジューリング結果を伝送協調グループの伝送方式およびスケジューリング結果として選択して、伝送協調グループ内の各伝送協調ポイントの送信電力を決定する、ことを含む、ことを特徴とする請求項２または５に記載の電力制御方法。
【請求項７】
前記伝送協調グループが各伝送方式を採用する場合での伝送協調グループ内の全てのスケジューリングされたユーザの伝送優先度をそれぞれ算出することは、
各伝送方式について、それぞれに、前記伝送方式での全てのスケジューリングされたユーザのＣＱＩがサポートできる伝送レートを、過去一定期間内の前記ユーザで伝送されたスループットで割ることで、前記ユーザの伝送優先度を得る、ことを含む、ことを特徴とする請求項６に記載の電力制御方法。
【請求項８】
伝送協調グループが低減電力伝送方式を採用する場合、伝送協調グループがシングルセル伝送方式を採用する場合に前記第１の伝送協調ポイントでスケジューリングされたユーザのＣＱＩと、伝送協調グループがダイナミック・ポイント・ブランキング伝送方式を採用する場合に前記第１の伝送協調ポイントでスケジューリングされたユーザのＣＱＩと、前記第１の伝送協調ポイント以外のほかの伝送協調ポイントで採用される低減電力およびフル電力とに基づき、第１の伝送協調ポイントでスケジューリングされたユーザのＣＱＩを算出し、
伝送協調グループが低減電力伝送方式を採用する場合、伝送協調グループがシングルセル伝送方式を採用する場合に前記ほかの伝送協調ポイントでスケジューリングされたユーザのＣＱＩと、前記ほかの伝送協調ポイントで採用される低減電力およびフル電力とに基づき、前記ほかの伝送協調ポイントでスケジューリングされたユーザのＣＱＩを算出する、ことを特徴とする請求項７に記載の電力制御方法。
【請求項９】
伝送協調ポイントは、無線リソース制御（ＲＲＣ）シグナリングおよび／または下り制御情報（ＤＣＩ）シグナリングを介して、現在使用の電力値をそのスケジューリングされたユーザに通知する、ことをさらに含む、ことを特徴とする請求項１または３に記載の電力制御方法。
【請求項１０】
シグナリングを介して、その現在使用の電力値を伝送協調グループ内の各伝送協調ポイントに通知する、ことをさらに含む、ことを特徴とする請求項１または３に記載の電力制御方法。
【請求項１１】
電力制御装置であって、
電力プールを設定する電力プール設定モジュールと、
フル電力を伝送協調グループ内の第１の伝送協調ポイントの送信電力としてフル電力を選択し、前記伝送協調グループ内の第１の伝送協調ポイント以外のほかの伝送協調ポイントのそれぞれに対して、それぞれに、前記電力プールから１つの電力値をその送信電力として選択する電力値決定モジュールと、を備え、ここで、
前記電力プールは、伝送協調グループ内の伝送協調ポイントがデータ伝送の際に採用される電力値のセットであり、フル電力と、フル電力とゼロ電力との間に介在する少なくとも１つの低減電力とを含む、ことを特徴とする電力制御装置。
【請求項１２】
前記電力値決定モジュールは、
伝送協調グループが各伝送方式を採用する場合での伝送協調グループ内の全てのスケジューリングされたユーザの伝送優先度をそれぞれ算出して、各伝送方式について、この伝送方式での伝送協調グループ内の全てのスケジューリングされたユーザの伝送優先度の和をそれぞれ算出する伝送優先度決定ユニットと、
前記伝送優先度の和を最大にする伝送方式およびスケジューリング結果を伝送協調グループの伝送方式およびスケジューリング結果として選択して、伝送協調グループ内の各伝送協調ポイントの送信電力を決定する選択ユニットと、を備える、ことを特徴とする請求項１１に記載の電力制御装置。
【請求項１３】
電力制御装置であって、
第１の電力プールおよび第２の電力プールを設定する第２の電力プール設定モジュールと、
伝送協調グループがダイナミック・ポイント・ブランキング伝送方式を採用する場合とシングルセル伝送方式を採用する場合に第１の伝送協調ポイントでスケジューリングされたユーザのチャネル特徴パラメータの差を算出し、この差が所定の閾値より大きい場合、第１の電力プールを候補電力プールとし、この差が所定の閾値以下である場合、第２の電力プールを候補電力プールとする電力プール選択モジュールと、
フル電力を伝送協調グループ内の第１の伝送協調ポイントの送信電力として選択して、伝送協調グループ内の第１の伝送協調ポイント以外のほかの伝送協調ポイントのそれぞれに対して、それぞれに、前記候補電力プールから１つの電力値をその送信電力として選択する第２の電力値決定モジュールと、を備え、ここで、
第１の電力プールおよび第２の電力プールは、伝送協調グループ内の伝送協調ポイントがデータ伝送の際に採用される電力値のセットであり、第１の電力プールは、フル電力とゼロ電力とを含み、第２の電力プールは、フル電力と、フル電力とゼロ電力との間に介在する少なくとも１つの低減電力とを含む、ことを特徴とする電力制御装置。
【請求項１４】
前記第２の電力値決定モジュールは、
伝送協調グループが各伝送方式を採用する場合での伝送協調グループ内の全てのスケジューリングされたユーザの伝送優先度をそれぞれ算出して、各伝送方式について、この伝送方式での伝送協調グループ内の全てのスケジューリングされたユーザの伝送優先度の和をそれぞれ算出する伝送優先度決定ユニットと、
前記伝送優先度の和を最大にする伝送方式およびスケジューリング結果を伝送協調グループの伝送方式およびスケジューリング結果として選択して、伝送協調グループ内の各伝送協調ポイントの送信電力を決定する選択ユニットと、を備える、ことを特徴とする請求項１３に記載の電力制御装置。
【発明の詳細な説明】
【技術分野】
【０００１】
本願発明は、移動通信ネットワークにおける協調マルチポイント伝送技術（ＣｏＭＰ：Ｃｏｏｒｄｉｎａｔｅｄ  Ｍｕｌｔｉｐｌｅ  Ｐｏｉｎｔ）に関し、特に、ＣｏＭＰシステムにおいて１つの伝送協調グループ内の複数の伝送協調ポイントに対して電力制御を行う方法およびその装置に関する。
【背景技術】
【０００２】
セルラー移動電話は人々の通信に極めて大きな便利さをもたらし、第２世代グローバル移動通信システム（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信技術を採用して、移動通信の通話品質をさらに向上させる。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、移動通信分野での重要な組織として、第３世代移動通信技術（３Ｇ：Ｔｈｅ  Ｔｈｉｒｄ  Ｇｅｎｅｒａｔｉｏｎ）の標準化の進展を大幅に促進し、広帯域符号分割多元接続（ＷＣＤＭＡ（登録商標）：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。
【０００３】
広帯域アクセス技術の挑戦に対処し、かつ、増加しつつある新たなサービスの需要を満たすために、３ＧＰＰは２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。未来の先進的なＬＴＥ（ＬＴＥ−Ａ：ＬＴＥ−Ａｄｖａｎｃｅｄ）技術はさらにＬＴＥを基に、異種ネットワークを普及し、スペクトル帯域幅を数倍に増加させ、データレートを倍的に向上させ、もっと多くの移動ユーザに、更なる高速であって性能がさらに優れたサービスを提供する。
【発明の概要】
【発明が解決しようとする課題】
【０００４】
ＣｏＭＰは、セル端ユーザの性能を向上させる重要な技術の一つとして、ＬＴＥ−Ａに導入される。ＣｏＭＰ技術の主なアイデアは、複数の伝送協調ポイントを含む伝送協調グループを確立し、該伝送協調グループ内の全ての伝送協調ポイントが協調してデータ伝送を完成することである。ＣｏＭＰ技術には、例えば、ジョイント処理（ＪＰ：Ｊｏｉｎｔ  Ｐｒｏｃｅｓｓｉｎｇ）および協調スケジューリング／協調ビームフォーミング（ＣＳ／ＣＢ：Ｃｏｏｒｄｉｎａｔｅｄ  Ｓｃｈｅｄｕｌｉｎｇ／Ｃｏｏｒｄｉｎａｔｅｄ  Ｂｅａｍｆｏｒｍｉｎｇ）などのような複数の協調方式が含まれる。ＪＰ方式で、ユーザの伝送データを予め伝送協調グループの複数の伝送協調ポイントで用意しておく必要がある。また、ＪＰは、ジョイント伝送（ＪＴ：Ｊｏｉｎｔ  Ｔｒａｎｓｍｉｓｓｉｏｎ）とダイナミック・ポイント・セレクション（ＤＰＳ：Ｄｙｎａｍｉｃ  Ｐｏｉｎｔ  Ｓｅｌｅｃｔｉｏｎ）の２つの方式に分けられる。
【０００５】
ここで、ＪＴは、複数の伝送協調ポイントが同じリソースブロック（ＲＢ：Ｒｅｓｏｕｒｃｅ  Ｂｌｏｃｋ）で、同じユーザに対してデータを伝送する、ということを指す。ＤＰＳは、各時刻毎に、１つの伝送協調ポイントのみがユーザに対してデータを伝送する一方、ほかの伝送協調ポイントが同じＲＢで、ほかのユーザのデータを伝送することになり、または電力が０になる、ということを指す。ここで、ほかの伝送協調ポイントが同じＲＢでほかのユーザのデータを伝送すると、この場合、該伝送協調グループがシングルセル伝送方式を採用すると呼ばれ、ほかの伝送協調ポイントの同じＲＢでの電力が０になると、この場合、該伝送協調グループがダイナミック・ポイント・ブランキング（ＤＰＢ：Ｄｙｎａｍｉｃ  Ｐｏｉｎｔ  Ｂｌａｎｋｉｎｇ）伝送方式を採用すると呼ばれる。実際の応用中、通常、ＤＰＳとＤＰＢとを併用できる伝送方式を採用し、例えば、伝送協調グループには、ＴＰ０とＴＰ１という２つの伝送ポイント（ＴＰ：Ｔｒａｎｓｍｉｓｓｉｏｎ  Ｐｏｉｎｔ）が含まれると、ＤＰＳ／ＤＰＢ方式を採用する場合、第１の伝送時間間隔（ＴＴＩ：Ｔｒａｎｓｍｉｓｓｉｏｎ  Ｔｉｍｅ  Ｉｎｔｅｒｖａｌ）で、ユーザはＴＰ０を選択してデータを伝送することができるが、最も強い干渉源であるＴＰ１が該ＲＢでゼロ電力を割り当てる。一方、第２のＴＴＩで、ユーザはＴＰ１を選択してデータを伝送することができるが、最も強い干渉源であるＴＰ０が該ＲＢでゼロ電力を割り当てる。明らかに、ＤＰＢ伝送方式を採用することは、ほかの伝送協調ポイントの電力が０になるため、協調伝送ポイント間の干渉を大幅に低減させることができるが、但し、同時にリソースの使用率も低減させてしまう。
【課題を解決するための手段】
【０００６】
上記の問題を解決するために、本発明の実施例は、伝送協調ポイント間の干渉とリソース使用率の両方に配慮を加えることができ、伝送協調ポイント間の干渉を制御した場合で、リソースの使用率をできるだけ向上させる電力制御方法を提供している。
【０００７】
本発明の実施例で提供されている電力制御方法であって、電力プールを設定し、フル電力を伝送協調グループ内の第１の伝送協調ポイントの送信電力として選択し、伝送協調グループ内の第１の伝送協調ポイント以外のほかの伝送協調ポイントのそれぞれに対して、それぞれに、前記電力プールから１つの電力値をその送信電力として選択する、ことを含み、ここで、前記電力プールは、伝送協調グループ内の伝送協調ポイントがデータ伝送の際に採用される電力値のセットであり、フル電力と、フル電力とゼロ電力との間に介在する少なくとも１つの低減電力とを含む。
【０００８】
伝送協調グループ内の第１の伝送協調ポイント以外のほかの伝送協調ポイントのそれぞれに対して、それぞれに、前記電力プールから１つの電力値をその送信電力として選択することは、全体の伝送協調グループ内の全ての伝送協調ポイントでスケジューリングされたユーザの伝送優先度の和を最大にするように、前記電力プールから、前記ほかの伝送協調ポイントのそれぞれに対して、それぞれに、１つの電力値をその送信電力として選択する、ことを含む。
【０００９】
本発明の別の実施例で提供されている電力制御方法であって、第１の電力プールおよび第２の電力プールを設定し、フル電力を伝送協調グループ内の第１の伝送協調ポイントの送信電力として選択し、伝送協調グループがダイナミック・ポイント・ブランキング伝送方式を採用する場合とシングルセル伝送方式を採用する場合に第１の伝送協調ポイントでスケジューリングされたユーザに対応するチャネル特徴パラメータの差を算出し、この差が所定の閾値より大きい場合、第１の電力プールを候補電力プールとし、この差が所定の閾値より大きくない場合、第２の電力プールを候補電力プールとし、伝送協調グループ内の第１の伝送協調ポイント以外のほかの伝送協調ポイントのそれぞれに対して、それぞれに、前記候補電力プールから１つの電力値をその送信電力として選択する、ことを含み、ここで、第１の電力プールおよび第２の電力プールは、伝送協調グループ内の伝送協調ポイントがデータ伝送の際に採用される電力値のセットであり、第１の電力プールは、フル電力とゼロ電力とを含み、第２の電力プールは、フル電力と、フル電力とゼロ電力との間に介在する少なくとも１つの低減電力とを含む。
【００１０】
ここで、チャネル特徴パラメータは、チャネル品質指標（ＣＱＩ）、信号対雑音比（ＳＮＲ）、信号対雑音干渉比（ＳＩＮＲ）、参照信号受信電力（ＲＳＲＰ）または参照信号受信品質（ＲＳＲＱ）を含む。
【００１１】
伝送協調グループ内の第１の伝送協調ポイント以外のほかの伝送協調ポイントのそれぞれに対して、それぞれに、前記候補電力プールから１つの電力値をその送信電力として選択することは、全体の伝送協調グループ内の全ての伝送協調ポイントでスケジューリングされたユーザの伝送優先度の和を最大にするように、前記候補電力プールから、前記ほかの伝送協調ポイントのそれぞれに対して、それぞれに、１つの電力値をその送信電力として選択する、ことを含む。
【００１２】
前記１つの電力値を選択することは、伝送協調グループが各伝送方式を採用する場合での伝送協調グループ内の全てのスケジューリングされたユーザの伝送優先度をそれぞれ算出し、各伝送方式について、この伝送方式での伝送協調グループ内の全てのスケジューリングされたユーザの伝送優先度の和をそれぞれ算出し、前記の伝送優先度の和を最大にする伝送方式およびスケジューリング結果を伝送協調グループの伝送方式およびスケジューリング結果として選択して、伝送協調グループ内の各伝送協調ポイントの送信電力を決定する、ことを含む。
【００１３】
前記伝送協調グループが各伝送方式を採用する場合での伝送協調グループ内の全てのスケジューリングされたユーザの伝送優先度をそれぞれ算出することは、各伝送方式について、それぞれに、前記伝送方式での全てのスケジューリングされたユーザのＣＱＩがサポートできる伝送レートを、過去一定期間内の前記ユーザで伝送されたスループットで割ることで、前記ユーザの伝送優先度を得る、ことを含む。
【００１４】
伝送協調グループが低減電力伝送方式を採用する場合、伝送協調グループがシングルセル伝送方式を採用する場合に前記第１の伝送協調ポイントでスケジューリングされたユーザのＣＱＩと、伝送協調グループがダイナミック・ポイント・ブランキング伝送方式を採用する場合に前記第１の伝送協調ポイントでスケジューリングされたユーザのＣＱＩと、前記第１の伝送協調ポイント以外のほかの伝送協調ポイントで採用される低減電力およびフル電力とに基づき、第１の伝送協調ポイントでスケジューリングされたユーザのＣＱＩを算出し、伝送協調グループが低減電力伝送方式を採用する場合、伝送協調グループがシングルセル伝送方式を採用する場合に前記ほかの伝送協調ポイントでスケジューリングされたユーザのＣＱＩと、前記ほかの伝送協調ポイントで採用される低減電力およびフル電力とに基づき、前記ほかの伝送協調ポイントでスケジューリングされたユーザのＣＱＩを算出する。
【００１５】
前記方法であって、伝送協調ポイントは、無線リソース制御（ＲＲＣ）シグナリングおよび／または下り制御情報（ＤＣＩ）シグナリングを介して、現在使用の電力値をそのスケジューリングされたユーザに通知する、ことをさらに含む。
【００１６】
前記方法であって、シグナリングを介して、その現在使用の電力値を伝送協調グループ内の各伝送協調ポイントに通知する、ことをさらに含む。
【００１７】
本発明の実施例に係る電力制御装置であって、電力プールを設定する電力プール設定モジュールと、フル電力を伝送協調グループ内の第１の伝送協調ポイントの送信電力としてフル電力を選択し、前記伝送協調グループ内の第１の伝送協調ポイント以外のほかの伝送協調ポイントのそれぞれに対して、それぞれに、前記電力プールから１つの電力値をその送信電力として選択する電力値決定モジュールと、を備え、ここで、前記電力プールは、伝送協調グループ内の伝送協調ポイントがデータ伝送の際に採用される電力値のセットであり、フル電力と、フル電力とゼロ電力との間に介在する少なくとも１つの低減電力とを含む。
【００１８】
前記電力値決定モジュールは、伝送協調グループが各伝送方式を採用する場合での伝送協調グループ内の全てのスケジューリングされたユーザの伝送優先度をそれぞれ算出して、各伝送方式について、この伝送方式での伝送協調グループ内の全てのスケジューリングされたユーザの伝送優先度の和をそれぞれ算出する伝送優先度決定ユニットと、前記の伝送優先度の和を最大にする伝送方式およびスケジューリング結果を伝送協調グループの伝送方式およびスケジューリング結果として選択して、伝送協調グループ内の各伝送協調ポイントの送信電力を決定する選択ユニットと、を備える。
【００１９】
本発明の別の実施例に係る電力制御装置であって、第１の電力プールおよび第２の電力プールを設定する第２の電力プール設定モジュールと、伝送協調グループがダイナミック・ポイント・ブランキング伝送方式を採用する場合とシングルセル伝送方式を採用する場合に第１の伝送協調ポイントでスケジューリングされたユーザのチャネル特徴パラメータの差を算出し、この差が所定の閾値より大きい場合、第１の電力プールを候補電力プールとし、この差が所定の閾値以下である場合、第２の電力プールを候補電力プールとする電力プール選択モジュールと、フル電力を伝送協調グループ内の第１の伝送協調ポイントの送信電力として選択して、伝送協調グループ内の第１の伝送協調ポイント以外のほかの伝送協調ポイントのそれぞれに対して、それぞれに、前記候補電力プールから１つの電力値をその送信電力として選択する第２の電力値決定モジュールと、を備え、ここで、第１の電力プールおよび第２の電力プールは、伝送協調グループ内の伝送協調ポイントがデータ伝送の際に採用される電力値のセットであり、第１の電力プールは、フル電力とゼロ電力とを含み、第２の電力プールは、フル電力と、フル電力とゼロ電力との間に介在する少なくとも１つの低減電力とを含む。
【００２０】
前記第２の電力値決定モジュールは、伝送協調グループが各伝送方式を採用する場合での伝送協調グループ内の全てのスケジューリングされたユーザの伝送優先度をそれぞれ算出して、各伝送方式について、この伝送方式での伝送協調グループ内の全てのスケジューリングされたユーザの伝送優先度の和をそれぞれ算出する伝送優先度決定ユニットと、前記の伝送優先度の和を最大にする伝送方式およびスケジューリング結果を伝送協調グループの伝送方式およびスケジューリング結果として選択して、伝送協調グループ内の各伝送協調ポイントの送信電力を決定する選択ユニットと、を備える。
【発明の効果】
【００２１】
前述のように、伝送協調グループ内の第１の伝送協調ポイント以外のほかの伝送協調ポイントは、電力プールから自局の送信電力を選択することができるため、上記のほかの伝送協調ポイントが、フル電力とゼロ電力との間に介在する低減電力を採用する場合、シングルセル伝送方式をそれが採用する場合と比べると、伝送協調ポイント間の干渉を低減させることができ、ＤＰＢ伝送方式をそれが採用する場合と比べると、リソースの使用率を向上させることができ、これにより、伝送協調ポイント間の干渉を制御した場合で、リソースの使用率をできるだけ向上させる目的を実現する。
【図面の簡単な説明】
【００２２】
【図１】本発明の実施例に係る電力制御方法のフローチャートである。
【図２】本発明の実施例に係る１つの電力値を選択する方法のフローチャートである。
【図３】本発明の別の実施例に係る電力制御方法のフローチャートである。
【図４】本発明の実施例に係る電力制御装置の内部構成を示す図である。
【図５】本発明の別の実施例に係る電力制御装置の内部構成を示す図である。
【発明を実施するための形態】
【００２３】
上記の問題を解決するために、本発明の実施例は、電力制御方法を提供している。図１に示すように、該方法は、以下のようなステップを含む。
【００２４】
ステップ１０１で、電力プール（Ｐｏｗｅｒ  Ｐｏｏｌ）を設定する。
【００２５】
本実施例において、まず、電力プール（Ｐｏｗｅｒ  Ｐｏｏｌ）という概念が導入される。電力プールは、伝送協調グループ内の伝送協調ポイントがデータ伝送の際に採用できる電力値のセットであり、該セットは、フル電力と、フル電力とゼロ電力との間に介在する少なくとも１つの低減電力（Ｒｅｄｕｃｅｄ  Ｐｏｗｅｒ）とを含むようにしてよい。上記の電力プールは、ゼロ電力を含むようにしてもよい。例えば、伝送協調ポイントのフル電力が４０ｗである場合、電力プールは、以下のような電力値｛０ｗ，１０ｗ，２０ｗ，３０ｗ，４０ｗ｝を含むようにしてよく、または以下のような電力値｛０ｗ，２０ｗ，４０ｗ｝を含むようにしてもよいし、あるいは以下のような電力値｛２０ｗ，４０ｗ｝を含むようにしてもよい。
【００２６】
ステップ１０２で、フル電力を伝送協調グループ内の第１の伝送協調ポイントの送信電力として選択する。
【００２７】
本実施において、上記の第１の伝送協調ポイントは、主伝送協調ポイントであり、伝送協調グループ内の第１の伝送協調ポイント以外のほかの伝送協調ポイントは、従伝送協調ポイントである。
【００２８】
ステップ１０３で、上記の伝送協調グループ内の第１の伝送協調ポイント以外のほかの伝送協調ポイントのそれぞれに対して、それぞれに、上記電力プールから１つの電力値をその送信電力として選択する。
【００２９】
次に、該伝送協調グループ内の第１の伝送協調ポイントは、フル電力を使用してユーザに対してデータを送信することができる一方、ほかの伝送協調ポイントは、選択された電力値に応じて、上記ユーザ以外のほかのユーザに対してデータを送信することができる。
【００３０】
具体的に、上記ほかの協調ポイントが電力プールにおけるフル電力をも自局の送信電力として選択する場合、該伝送協調グループが実際に採用するのは、シングルセル伝送方式であり、上記ほかの協調ポイントが電力プールにおけるゼロ電力を自局の送信電力として選択する場合、該伝送協調グループが実際に採用するのは、ＤＰＢ伝送方式である。上記ほかの協調ポイントのうちの１つが電力プールにおける低減電力を自局の送信電力として選択する場合、本発明において、このような伝送方式が低減電力伝送方式と呼ばれる。また、電力プールには、複数の低減電力が含まれる可能性があるため、伝送協調グループが選択できる低減電力伝送方式も複数ある。
【００３１】
上記の方法により、伝送協調グループが低減電力伝送方式を採用する場合、伝送協調グループ内の第１の伝送協調ポイント以外の少なくとも１つのほかの伝送協調ポイントの送信電力は、ゼロ電力とフル電力との間に介在するため、シングルセル伝送方式をそれが採用する場合と比べると、伝送協調ポイント間の干渉を低減させることができ、ＤＰＢ伝送方式をそれが採用する場合と比べると、リソースの使用率を向上させることができる。
【００３２】
以下、上記のステップ１０３に係る、前記電力プールから１つの電力値を該伝送協調グループ内の第１の伝送協調ポイント以外のほかの伝送協調ポイントの送信電力として選択する方法を詳しく説明する。
【００３３】
本実施例では、伝送協調ポイントに対して送信電力値を選択する基本原則は、全体の伝送協調グループにおけるスケジューリングされたユーザの伝送優先度の和を最大にすること、即ち、マルチセルジョイントスケジューリングの場合に、スケジューリングされた全てのユーザの伝送優先度の和を最大にすること、である。具体的に、本実施例で言及される伝送優先度は、スケジューリング優先度であり、その算出方法が、具体的なスケジューリング方法に関し、即ち、スケジューリング方法が異なると、上記の伝送優先度の算出方法も違う。例えば、プロポーショナルフェア（ＰＦ：Ｐｒｏｐｏｒｔｉｏｎａｌ  Ｆａｉｒ）のスケジューリング方法を採用すると、ユーザの伝送優先度は、該ユーザの現在のチャネル条件がサポートできる伝送レートと、過去一定期間内の該ユーザで伝送されたスループットとの商である。具体的に、ユーザの現在のチャネル条件は、チャネル品質指標（ＣＱＩ）、信号対雑音比（ＳＮＲ）および信号対雑音干渉比（ＳＩＮＲ）などのようなチャネル特徴パラメータのうちの１つで判断されることができる。例えば、ユーザの現在のチャネル条件が該ユーザの現在のＣＱＩで判断されると、該ユーザの伝送優先度は、該ユーザの現在のＣＱＩがサポートできる伝送レートと、過去一定期間内の該ユーザで伝送されたスループットとの商である。ここから分かるように、この場合、図２に示すように、伝送協調ポイントに対して送信電力値を選択する具体的な方法は、主に、以下のようなステップを含む。
【００３４】
ステップ１０３１で、伝送協調グループが各伝送方式を採用する場合での伝送協調グループ内の全てのスケジューリングされたユーザの伝送優先度をそれぞれ算出する。
【００３５】
ＣＱＩをチャネル条件判断用のチャネル特徴パラメータとすることを例にして、具体的な算出方法は、各伝送方式について、この伝送方式でのユーザのＣＱＩがサポートできる伝送レートを、過去一定期間内の該ユーザで伝送されたスループットで割る、ことである。
【００３６】
ステップ１０３２で、各伝送方式について、この伝送方式での伝送協調グループ内の全てのスケジューリングされたユーザの伝送優先度の和をそれぞれ算出する。
【００３７】
ステップ１０３３で、上記の伝送優先度の和を最大にする伝送方式およびスケジューリング結果を伝送協調グループの伝送方式およびスケジューリング結果として選択して、伝送協調グループ内の各伝送協調ポイントの送信電力を決定する。
【００３８】
以下、具体的な例示により、伝送協調ポイントに対して電力値を選択する方法を詳しく説明する。本例示では、伝送協調グループには、第１の伝送協調ポイントと第２の伝送協調ポイントとの２つの伝送協調ポイントが含まれる。電力プールは、｛０ｗ，１０ｗ，２０ｗ，３０ｗ，４０ｗ｝である。伝送協調グループが採用できる伝送方式は、合計で５種類あり、シングルセル伝送方式（第１の伝送協調ポイントおよび第２の伝送協調ポイントの送信電力はいずれもフル電力４０ｗである）と、ＤＰＢ伝送方式（第１の伝送協調ポイントの送信電力はフル電力４０ｗであり、第２の伝送協調ポイントの送信電力はゼロ電力０ｗである）と、３つの低減電力伝送方式（第１の伝送協調ポイントの送信電力はフル電力４０ｗであり、第２の伝送協調ポイントの送信電力はそれぞれ１０ｗ、２０ｗおよび３０ｗである）とを含む。以下、上記の図２に示す方法を実行する。ステップ１０３１で、伝送協調グループが上記の５種類の伝送方式を採用する場合での第１の伝送協調ポイントおよび第２の伝送協調ポイントでスケジューリングされた全てのユーザのＣＱＩをそれぞれ決定する。そして、ステップ１０３２で、伝送優先度の算出方法に基づいて、伝送協調グループが上記の５種類の伝送方式を採用する場合での第１の伝送協調ポイントおよび第２の伝送協調ポイントでスケジューリングされた全てのユーザの伝送優先度をそれぞれ算出する。次に、ステップ１０３３で、上記の５種類の伝送方式のそれぞれについて、この伝送方式での第１の伝送協調ポイントおよび第２の伝送協調ポイントでスケジューリングされた全てのユーザの伝送優先度の和をそれぞれ算出する。最後に、ステップ１０３４で、上記の伝送優先度の和を最大にする伝送方式を伝送協調グループの伝送方式として選択して、例えば、第１の伝送協調ポイントの送信電力がフル電力４０ｗであり、第２の伝送協調ポイントの送信電力が２０ｗである場合、第１の伝送協調ポイントおよび第２の伝送協調ポイントでスケジューリングされた全てのユーザの伝送優先度の和は最大となると、伝送協調グループが電力低減伝送モードを採用し、かつ、第１の伝送協調ポイントの送信電力がフル電力４０ｗであり、第２の伝送協調ポイントの送信電力が２０ｗである、ということを決定することができる。
【００３９】
しかし、従来のＣｏＭＰシステムにおいて、既存のプロトコルには、伝送協調グループがシングルセル伝送方式およびＤＰＢ伝送方式を採用する場合にＣＱＩをユーザがフィードバックする方法のみが規定されるが、伝送協調グループが各低減電力伝送方式を採用する場合にＣＱＩをユーザがフィードバックする方法が規定されていない。従って、伝送協調グループが各伝送方式を採用する場合での伝送協調グループ内の全てのスケジューリングされたユーザのＣＱＩをそれぞれ決定するために、各伝送協調ポイントは、ＣＱＩ更新を行う必要がある。下記の表１に、伝送協調グループがシングルセル伝送方式、ＤＰＢ伝送方式および低減電力伝送方式を採用する場合に、伝送協調グループ内の第１の伝送協調ポイントおよびほかの伝送協調ポイント（第２の伝送協調ポイントと呼ばれ）でスケジューリングされたユーザのＣＱＩの基本的な算出数式を示す。
【００４０】
【表１】
2014135723.tif 000003
【００４１】
ここで、ＣＱＩｓ１は、伝送協調グループがシングルセル伝送方式を採用する場合に第１の伝送協調ポイントでスケジューリングされたユーザのＣＱＩであり、ＣＱＩｓ２は、伝送協調グループがシングルセル伝送方式を採用する場合に第２の伝送協調ポイントでスケジューリングされたユーザのＣＱＩであり、ＣＱＩｂは、伝送協調グループがＤＰＢ伝送方式を採用する場合に第１の伝送協調ポイントでスケジューリングされたユーザのＣＱＩであり、この場合、第２の伝送協調ポイントでスケジューリングされたユーザのＣＱＩは０であり、ＣＱＩｒ１は、伝送協調グループが低減電力伝送方式を採用する場合に第１の伝送協調ポイントでスケジューリングされたユーザのＣＱＩであり、ＣＱＩｒ２は、伝送協調グループが低減電力伝送方式を採用する場合に第２の伝送協調ポイントでスケジューリングされたユーザのＣＱＩであり、Ｓ１は、第１の伝送協調ポイントでスケジューリングされたユーザの信号であり、Ｓ２は、第２の伝送協調ポイントでスケジューリングされたユーザの信号であり、Ｉは、伝送協調グループ以外からの干渉であり、Ｎは、雑音であり、Ｔｘｒは、第２の伝送協調ポイントが採用できる低減電力であり、Ｔｘｆは、第２の伝送協調ポイントが採用できるフル電力である。
【００４２】
上記の表１における数式から導出することで、以下のような数式１および２を得ることができる。
【００４３】
【数１】
2014135723.tif 000004
【００４４】
上記の数式１および２から分かるように、ＣＱＩｓ１、ＣＱＩｓ２、ＣＱＩｂならびにＴｘｒおよびＴｘｆが知られている場合で、上記の数式１および２により、伝送協調グループが各低減電力伝送方式を採用する場合に第１の伝送協調ポイントおよび第２の伝送協調ポイントでスケジューリングされたユーザに対応するＣＱＩを算出することができる。
【００４５】
つまり、伝送協調グループが低減電力伝送方式を採用する場合、第１の伝送協調ポイントでスケジューリングされたユーザのＣＱＩは、伝送協調グループがシングルセル伝送方式を採用する場合に第１の伝送協調ポイントでスケジューリングされたユーザのＣＱＩと、伝送協調グループがダイナミック・ポイント・ブランキング伝送方式を採用する場合に第１の伝送協調ポイントでスケジューリングされたユーザのＣＱＩと、第１の伝送協調ポイント以外のほかの伝送協調ポイントで採用される低減電力および伝送協調ポイントが採用できるフル電力とに基づいて、算出される。伝送協調グループが低減電力伝送方式を採用する場合、第１の伝送協調ポイント以外のほかの伝送協調ポイントでスケジューリングされたユーザのＣＱＩは、伝送協調グループがシングルセル伝送方式を採用する場合にほかの伝送協調ポイントでスケジューリングされたユーザのＣＱＩと、ほかの伝送協調ポイントで採用される低減電力および伝送協調ポイントが採用できるフル電力とに基づいて、算出される。
【００４６】
当業者であれば、上記の方法で、伝送協調グループ内の第１の伝送協調ポイント以外の第２の伝送協調ポイントが低減電力を自局の送信電力として選択することができるため、同時に伝送協調ポイント間の干渉とリソース使用率の両方に配慮を加えることができ、伝送協調ポイント間の干渉を制御した場合で、リソースの使用率をできるだけ向上させる目的を実現することができる、ということを理解することができる。
【００４７】
上記の方法で、ＣＱＩを例にして説明したが、前述のように、例えばＳＮＲ、ＳＩＮＲ、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）または参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）などのようなほかのチャネル特徴パラメータを上記のＣＱＩに代えるようにしてもよい。具体的な方法について、ＣＱＩの方法を参照することができ、ここで、説明を省略する。
【００４８】
また、上記の例において、伝送協調グループには、２つの伝送協調ポイントのみが含まれる。しかし、本実施例の方法は、このような場合に限定されるものではなく、つまり、伝送協調グループには、２つまたは２つ以上の伝送協調ポイントが含まれるようにしてもよい。特に、第１の伝送協調ポイント以外のほかの伝送協調ポイントに対して送信電力を選択する場合、ほかの伝送協調ポイントのそれぞれは独立なものであり、ほかの伝送協調ポイントの影響を受けない。
【００４９】
上記の例示において、電力プールには、選択可能な電力値が多すぎると、伝送協調ポイントがスケジューリングする際の算出複雑度の増加になってしまう。従って、伝送協調ポイントがスケジューリングする際の複雑度を低減するために、電力プールにおける電力値の数を適切に減少するようにしてもよい。例えば、電力プールに含まれる電力｛０ｗ，１０ｗ，２０ｗ，３０ｗ，４０ｗ｝を｛０ｗ，２０ｗ，４０ｗ｝に変更し、または｛２０ｗ，４０ｗ｝にさらに変更する。
【００５０】
また、統計によって、伝送協調グループがＤＰＢ伝送方式を採用する場合に第１の伝送協調ポイントでスケジューリングされたユーザのＣＱＩと、伝送協調グループがシングルセル伝送方式を採用する場合に第１の伝送協調ポイントでスケジューリングされたユーザのＣＱＩとの差が、１３ｄＢより大きい場合、圧倒的多数のケースにおいて、ＤＰＢ伝送方式が選択される、ということを発見することができる。上記の統計結果に基づき、本発明の別の実施例は、代替の電力制御方法を提出し、図３に示すように、該方法は、主に、以下のようなステップを含む。
【００５１】
ステップ３０１で、第１の電力プールおよび第２の電力プールを設定する。
【００５２】
ここで、第１の電力プールおよび第２の電力プールは、伝送協調グループ内の伝送協調ポイントがデータ伝送の際に採用できる電力値のセットであり、ここで、第１の電力プールは、フル電力とゼロ電力とを含み、第２の電力プールは、フル電力と、フル電力とゼロ電力との間に介在する少なくとも１つの低減電力とを含む。上記の第２の電力プールは、さらに、ゼロ電力を含むようにしてもよい。
【００５３】
ステップ３０２で、フル電力を伝送協調グループ内の第１の伝送協調ポイントの送信電力として選択する。
【００５４】
ステップ３０３で、伝送協調グループがＤＰＢ伝送方式を採用する場合とシングルセル伝送方式を採用する場合に第１の伝送協調ポイントでスケジューリングされたユーザのチャネル特徴パラメータ（例えばＣＱＩ）の差を算出する。
【００５５】
ステップ３０４で、この差が所定の閾値より大きい場合、第１の電力プールを候補電力プールとし、この差が所定の閾値より大きくない場合、第２の電力プールを候補電力プールとする。
【００５６】
上記の所定の閾値は、統計結果によって、動的に決定されることができ、例えば、上記のチャネル特徴パラメータはＣＱＩであれば、上記の所定の閾値は、１３ｄＢであってよい。
【００５７】
ステップ３０５で、伝送協調グループ内の第１の伝送協調ポイント以外のほかの伝送協調ポイントのそれぞれに対して、それぞれに、前記候補電力プールから１つの電力値をその送信電力として選択する。
【００５８】
本ステップ３０５に係る選択方法は、上記のステップ１０３１〜１０３４に示すような方法を採用することができる。
【００５９】
伝送協調ポイントでの算出複雑度およびシグナリングオーバーヘッドをさらに減少するために、第２の電力プールにおける電力値の数をさらに減少するようにしてよい。
【００６０】
上記の２つの実施例に係る方法に電力プールが導入されるため、関連のシグナリングを利用して、現在使用の電力値がどの電力値であるか、ということを伝送協調ポイントおよびユーザに通知する必要がある。例えば、伝送協調ポイントの間で、電力プールには、例えば４０ｗと２０ｗの２つのゼロでない電力値が含まれると、１ｂｉｔで、第２の伝送協調ポイントがどの電力値を採用するか、ということを指示することができ、例えば、「０」は４０ｗを代表し、「１」は２０ｗを代表する。電力プールには、３つまたは４つのゼロでない電力値が含まれる場合、２ｂｉｔで、第２の伝送協調ポイントがどの電力値を採用するか、ということを指示する必要がある。
【００６１】
なお、伝送協調ポイントは、現在使用の電力値がどの電力値であるかを、そのスケジューリングされたユーザに通知する必要がある。具体的に、複数の通知方法を採用することができ、例えば、伝送協調ポイントは、無線リソース制御（ＲＲＣ：Ｒａｄｉｏ  Ｒｅｓｏｕｒｃｅ  Ｃｏｎｔｒｏｌ）シグナリングおよび／または下り制御情報（ＤＣＩ：Ｄｏｗｎｌｉｎｋ  Ｃｏｎｔｒｏｌ  Ｉｎｆｏｒｍａｔｉｏｎ）シグナリングを利用して、現在使用の電力値がどの電力値であるかを、そのスケジューリングされたユーザに通知する。具体的に、直接に、ＲＲＣシグナリングまたはＤＣＩシグナリングを介して、現在使用の電力値または該電力とフル電力との比を提供するようにしてよく、または、ＲＲＣシグナリングで現在使用の電力プールを指示する一方、ＤＣＩシグナリングを介して、現在使用の電力が電力プールでのどの電力であるかを、ユーザに通知するようにしてもよい（例えば、各電力値に対してインデックスを設定し、ＤＣＩシグナリングで、現在使用の電力のインデックスをユーザに通知する）。
【００６２】
説明すべきものとして、上記の実施例に開示された方法は、例えばＤＰＳまたはＪＴなどのような様々なＣｏＭＰ協調方式に適用することができる。
【００６３】
上記の電力制御方法に対応して、本発明の実施例は、上記の電力制御方法を実行する電力制御装置も提供している。図４は、本発明の実施例に係る電力制御装置の内部構成を示す。図４に示すように、該電力制御装置は、主に、電力プール設定モジュール４０１と、電力値決定モジュール４０２と、を備える。
【００６４】
電力プール設定モジュール４０１は、電力プールを設定し、該電力プールは、フル電力と、フル電力とゼロ電力との間に介在する少なくとも１つの低減電力とを含むようにしてよい。上記の電力プールは、ゼロ電力を含むようにしてもよい。
【００６５】
電力値決定モジュール４０２は、フル電力を伝送協調グループ内の第１の伝送協調ポイントの送信電力として選択し、前記伝送協調グループ内の第１の伝送協調ポイント以外のほかの伝送協調ポイントのそれぞれに対して、それぞれに、前記電力プールから１つの電力値をその送信電力として選択する。
【００６６】
前述のように、上記の電力値決定モジュール４０２が電力値を選択する基本原則は、伝送協調グループ内のスケジューリングされたユーザの伝送優先度の和を最大にする、ことである。
【００６７】
具体的に、上記の電力値決定モジュール４０２は、伝送優先度決定ユニットと、選択ユニットと、を備えるようにしてもよい。
【００６８】
伝送優先度決定ユニットは、伝送協調グループが各伝送方式を採用する場合での伝送協調グループ内の全てのスケジューリングされたユーザの伝送優先度をそれぞれ算出して、各伝送方式について、この伝送方式での伝送協調グループ内の全てのスケジューリングされたユーザの伝送優先度の和をそれぞれ算出する。ＣＱＩをチャネル条件判断用のチャネル特徴パラメータとすることを例にして、具体的な算出方法は、各伝送方式について、この伝送方式でのユーザのＣＱＩがサポートできる伝送レートを、過去一定期間内の該ユーザで伝送されたスループットで割る、ことである。ここで、ＣＱＩの更新方法について、上記の数式１および２を参照することができる。
【００６９】
選択ユニットは、前記の伝送優先度の和を最大にする伝送方式およびスケジューリング結果を伝送協調グループの伝送方式およびスケジューリング結果として選択して、伝送協調グループ内の各伝送協調ポイントの送信電力を決定する。
【００７０】
伝送協調ポイントでの算出複雑度を低減するために、本発明の別の実施例は、電力制御装置も提供している。図５に示すように、該装置は、第２の電力プール設定モジュール５０１と、電力プール選択モジュール５０２と、第２の電力値決定モジュール５０３と、を備える。
【００７１】
第２の電力プール設定モジュール５０１は、第１の電力プール、および第２の電力プールを設定し、ここで、第１の電力プールは、伝送協調ポイントのフル電力およびゼロ電力のセットであり、第２の電力プールは、伝送協調グループ内の伝送協調ポイントがデータ伝送の際に採用できる電力値のセットであり、フル電力と、フル電力とゼロ電力との間に介在する少なくとも１つの低減電力とを含む。上記の第２の電力プールは、さらに、ゼロ電力を含むようにしてもよい。
【００７２】
電力プール選択モジュール５０２は、伝送協調グループがＤＰＢ伝送方式を採用する場合とシングルセル伝送方式を採用する場合に第１の伝送協調ポイントでスケジューリングされたユーザのチャネル特徴パラメータ（例えばＣＱＩ）の差を算出し、この差が所定の閾値より大きい場合、第１の電力プールを候補電力プールとし、この差が所定の閾値以下である場合、第２の電力プールを候補電力プールとする。
【００７３】
第２の電力値決定モジュール５０３は、フル電力を伝送協調グループ内の第１の伝送協調ポイントの送信電力として選択して、伝送協調グループ内の第１の伝送協調ポイント以外のほかの伝送協調ポイントのそれぞれに対して、それぞれに、前記候補電力プールから１つの電力値をその送信電力として選択する。
【００７４】
ここで、説明すべきものとして、この場合、上記の第２の電力値決定モジュール５０３は、上記の伝送優先度決定ユニットおよび選択ユニットを備えるようにしてもよい。
【００７５】
また、説明すべきものとして、実際の応用中、上記２種類の電力制御装置は主伝送協調ポイント内に設けられるようにしてもよい。
【００７６】
前述のように、伝送協調グループが低減電力伝送方式を採用する場合、シングルセル伝送方式をそれが採用する場合と比べると、伝送協調ポイント間の干渉を低減させることができ、ＤＰＢ伝送方式をそれが採用する場合と比べると、リソース使用率を向上させることができる。従って、本発明の方法および装置により、伝送協調ポイント間の干渉を制御した場合で、リソースの使用率をできるだけ向上させることを実現する。
【００７７】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００７８】
４０１  電力プール設定モジュール
４０２  電力値決定モジュール
５０１  第２の電力プール設定モジュール
５０２  電力プール選択モジュール
５０３  第２の電力値決定モジュール
【図１】
2014135723.tif 000005
【図２】
2014135723.tif 000006
【図３】
2014135723.tif 000007
【図４】
2014135723.tif 000008
【図５】
2014135723.tif 000009